(57)【要約】【課題】  未成年者が専用の装置で視聴中のコンテンツ情報に年齢制限情報が付加されていると否とに拘らず保護者が別の装置で上記コンテンツ情報を監視できるようにする。【解決手段】  現在チャンネルと切替チャンネルが同一かチェックする。同一でなければ現在チャンネルが割当表に登録されているかチェックする。同一チャンネルが割当てられた他の映像表示装置に共視聴解除要求を送信する。割当表に切替チャンネルが登録されているかチェックする。指定チャンネルの共視聴欄４９に「共」が登録されていなければ指定チャンネルが割当てられた映像表示装置のアドレスを取得する。該情報の送信を要求する。該情報を受信すると視聴チャンネルのコンテンツを表示する。他の映像表示装置に切替えたチャンネルに係わる情報を送信する。寝室TV３でチャンネル切替えを行っても居間TV５に切替えを行った後のチャンネルが表示される。【選択図】        図６
2007074036.tif 000002
【特許請求の範囲】
【請求項１】
通信ネットワークを通じて接続される環境下に置かれた複数台の映像表示装置のうちの少なくとも１台において、
前記残りの映像表示装置のうちから、前記通信ネットワークに接続されている映像表示装置を把握する接続把握部と、
前記接続把握部によって接続を把握された他の映像表示装置に対し、空きチャンネルを割当てる空きチャンネル割当部と、
前記空きチャンネル割当部により空きチャンネルが割当てられた前記映像表示装置が視聴しているコンテンツ情報を、前記割当てられた空きチャンネルを通じて監視する視聴状況監視部と、
を備える映像表示装置。
【請求項２】
請求項１記載の映像表示装置において、
前記空きチャンネルかどうかの判別が、前記各映像表示装置のチャンネル切替えを行うためのチャンネル切替部によるチャンネル切替えに基づく検索によって行われる映像表示装置。
【請求項３】
請求項２記載の映像表示装置において、
前記空きチャンネルかどうかの判別が、前記検索の結果、コンテンツ情報の受信レベルが所定値以下かどうかをも参酌して行われる映像表示装置。
【請求項４】
請求項３記載の映像表示装置において、
前記空きチャンネルかどうかの判別が、前記他の映像表示装置に対してチャンネル割当てを行うための空きチャンネルデータを保持するチャンネル割当表に登録されているかどうかをも参酌して行われる映像表示装置。
【請求項５】
請求項１記載の映像表示装置において、
前記視聴状況監視部による他の映像表示装置に対する視聴状況の監視が、前記他の映像表示装置への視聴チャンネルに係わる情報の送信要求と、これに応じて前記他の映像表示装置から送信される前記視聴チャンネルに係わる情報の受信とによって行われる映像表示装置。
【請求項６】
請求項１記載の映像表示装置において、
前記他の映像表示装置が該監視側の映像表示装置と共視聴の関係にある場合に、前記他の映像表示装置に対しコンテンツ情報の視聴制限を課す視聴制限部、を更に備える映像表示装置。
【請求項７】
請求項７記載の映像表示装置において、
前記他の映像表示装置が、該監視側の映像表示装置から視聴制限を課された視聴チャンネル情報を受信した場合に、該監視側の映像表示装置に対し、視聴制限が課されている旨を通知するようにした映像表示装置。
【請求項８】
通信ネットワークを通じて接続される環境下に置かれた複数台の映像表示装置のうちの少なくとも１台において、
前記残りの映像表示装置のうちから、前記通信ネットワークに接続されている映像表示装置を把握するステップと、
前記通信ネットワークへの接続を把握するステップにおいて接続を把握された他の映像表示装置に対し、空きチャンネルを割当てるステップと、
前記空きチャンネルを割当てるステップにおいて空きチャンネルが割当てられた前記映像表示装置が視聴しているコンテンツ情報を、前記割当てられた空きチャンネルを通じて監視するステップと、
を備える映像表示装置における視聴状況監視方法。
【発明の詳細な説明】
【技術分野】
【０００１】
本発明は、通信ネットワークを通じて接続される環境下に置かれた複数台の映像表示装置、及び該映像表示装置における視聴状況監視方法に関する。以下の説明では、映像表示装置として、ディジタルTV（テレビジョン）放送受信機を例にとる。
【背景技術】
【０００２】
従来、ディジタルTV放送受信機において、ユーザがペアレンタル年齢値を設定することにより、ペアレンタルロック（視聴制限）に関する機能が作動するようにしたときに、有効な処理を行えるようにした構成のものが提案されている。この提案に係るディジタルTV放送受信機では、ペアレンタルロックに関する機能が作動したときは、出力チャンネルを、そのまま放置することなく、プロモーションチャンネル等、支障なく出力できるチャンネルへ切替えるように構成されている（例えば特許文献１参照）。
【０００３】
また、視聴制限機能付TV受像装置において、受信した映像信号が、設定されたレイティングレベル以上のレイティング情報（番組の過激度）を含む、受信を制限されたチャンネルのものである場合に、該映像信号がVTR等からの、（一定期間内にレイティング情報が検出されない）特殊再生状態の外部信号であっても、レイティング機能が解除されないようにした構成のものが提案されている。この提案に係る視聴制限機能付TV受像装置では、受信した映像信号のフィールドの連続性を判定して標準若しくは特殊再生時の映像信号に基づくものか否かを判断する。そして、視聴制限機能を解除するか継続するかの見極めを行うことにより、特殊再生信号であっても設定したレイティングレベル以上の番組であれば、継続して視聴制限機能を働かせるように構成されている（例えば特許文献２参照）。
【０００４】
【特許文献１】特開平10-242874号公報
【特許文献２】特開2001-016565号公報
【発明の開示】
【発明が解決しようとする課題】
【０００５】
ところで、上記提案がなされた背景としては、近年におけるCATV（ケーブルテレビ）や衛星放送などの普及、HDD（ハードディスクドライブ）や光ディスクの大容量化による録画可能なTV放送番組の増加により、一般家庭において視聴可能なTV放送番組が増加し、また、様々なTV放送番組が視聴可能になった点が挙げられる。上記視聴可能なTV放送番組には、例えば暴力シーンなど、或る年齢未満の青少年の育成に悪影響を及ぼす虞のある映像が包含されているものもある。
【０００６】
そのため、TV放送番組などの送信側であるTV放送局側では、コンテンツであるTV放送番組などに年齢制限の情報を付加し、受信側であるコンテンツを表示する映像表示装置、即ち、ディジタルTV放送受信機では、上記コンテンツに付加された年齢制限情報に基づき、対象年齢以下の者の視聴を制限するという機能を備えることによって対処している。しかし、上述した従来の方法では、TV放送局側において、年齢制限情報を付加する必要のあるTV放送番組などのコンテンツについての基準が、予め定まっていない。よって、ディジタルTV放送受信機側で受信した、年齢制限情報が付加されていないTV放送番組の中にも、親が子供に視聴させたくない映像が含まれている場合もあり得る。
【０００７】
しかも、近年における、主としてディジタルTV放送受信機の低価格化に起因する急速な普及により、複数台のディジタルTV放送受信機を持つ家庭が増加しており、このような家庭では、子供部屋にもディジタルTV放送受信機が設置されている場合が多い。このような環境下では、上述したような年齢制限情報が付加されてはいないが、親が子供に視聴させたくない映像が含まれているTV放送番組を、子供が子供部屋のディジタルTV放送受信機で視聴している可能性が高い。
【０００８】
従って本発明の目的は、未成年者が専用の映像表示装置で視聴しているコンテンツ情報に年齢制限情報が付加されていると否とに拘らず、保護者が別の映像表示装置で未成年者が視聴しているコンテンツ情報をチェックできるようにすることにある。
【課題を解決するための手段】
【０００９】
本発明の第１の観点に従う映像表示装置は、通信ネットワークを通じて接続される環境下に置かれた複数台の映像表示装置のうちの少なくとも１台であって、上記残りの映像表示装置のうちから、上記通信ネットワークに接続されている映像表示装置を把握する接続把握部と、上記接続把握部によって接続を把握された他の映像表示装置に対し、空きチャンネルを割当てる空きチャンネル割当部と、上記空きチャンネル割当部により空きチャンネルが割当てられた上記映像表示装置が視聴しているコンテンツ情報を、上記割当てられた空きチャンネルを通じて監視する視聴状況監視部と、を備える。
【００１０】
本発明の第１の観点に係る好適な実施形態では、上記空きチャンネルかどうかの判別が、上記各映像表示装置のチャンネル切替えを行うためのチャンネル切替部によるチャンネル切替えに基づく検索によって行われる。
【００１１】
上記とは別の実施形態では、上記空きチャンネルかどうかの判別が、上記検索の結果、コンテンツ情報の受信レベルが所定値以下かどうかをも参酌して行われる。
【００１２】
また、上記とは別の実施形態では、上記空きチャンネルかどうかの判別が、上記他の映像表示装置に対してチャンネル割当てを行うための空きチャンネルデータを保持するチャンネル割当表に登録されているかどうかをも参酌して行われる。
【００１３】
また、上記とは別の実施形態では、上記視聴状況監視部による他の映像表示装置に対する視聴状況の監視が、上記他の映像表示装置への視聴チャンネルに係わる情報の送信要求と、これに応じて上記他の映像表示装置から送信される上記視聴チャンネルに係わる情報の受信とによって行われる。
【００１４】
また、上記とは別の実施形態では、上記他の映像表示装置が該監視側の映像表示装置と共視聴の関係にある場合に、上記他の映像表示装置に対しコンテンツ情報の視聴制限を課す視聴制限部、を更に備える。
【００１５】
更に、上記とは別の実施形態では、上記他の映像表示装置が、該監視側の映像表示装置から視聴制限を課された視聴チャンネル情報を受信した場合に、該監視側の映像表示装置に対し、視聴制限が課されている旨を通知するようにしている。
【００１６】
本発明の第２の観点に従う映像表示装置における視聴状況監視方法は、通信ネットワークを通じて接続される環境下に置かれた複数台の映像表示装置のうちの少なくとも１台に係わるものであって、上記残りの映像表示装置のうちから、上記通信ネットワークに接続されている映像表示装置を把握するステップと、上記通信ネットワークへの接続を把握するステップにおいて接続を把握された他の映像表示装置に対し、空きチャンネルを割当てるステップと、上記空きチャンネルを割当てるステップにおいて空きチャンネルが割当てられた上記映像表示装置が視聴しているコンテンツ情報を、上記割当てられた空きチャンネルを通じて監視するステップと、を備える。
【発明の効果】
【００１７】
本発明によれば、未成年者が専用の映像表示装置で視聴しているコンテンツ情報に年齢制限情報が付加されていると否とに拘らず、保護者が別の映像表示装置で未成年者が視聴しているコンテンツ情報をチェックできるようにすることができる。
【発明を実施するための最良の形態】
【００１８】
以下、本発明の実施の形態を、図面により詳細に説明する。
【００１９】
図１は、本発明の一実施形態に係る映像表示装置を複数台設置した家屋を示すブロック図である。
【００２０】
図１に記載の家屋１０１では、子供部屋１０３、寝室１０５、居間１０７、及び台所１０９に、夫々映像表示装置であるディジタルTV放送受信機１、３、５、及び７が設置されている。各ディジタルTV放送受信機１、３、５、及び７は、何れも家屋１０１内に張り巡らされているアンテナ線９を通じて、例えば家屋１０１の軒下に設置されているアンテナ１１に接続されている。各ディジタルTV放送受信機１、３、５、及び７は、また、家庭内LAN（ローカル・エリア・ネットワーク）１３を通じて相互に接続されている。以下の説明では、便宜上、ディジタルTV放送受信機１については子供部屋TV１と、ディジタルTV放送受信機３については寝室TV３と、また、ディジタルTV放送受信機５については居間TV５と、更に、ディジタルTV放送受信機７については台所TV７と、夫々表記する。
【００２１】
子供部屋TV１、寝室TV３、居間TV５、及び台所TV７は、何れもディジタルTV放送局（図示しない）側から配信されたディジタルTV放送番組を、アンテナ１１、及びアンテナ線９を通じて受信する。これにより、子供部屋１０３の視聴者（即ち、子供）や、寝室１０５の視聴者（例えば子供の父親）や、居間１０７の視聴者（例えば子供以外の同居の成年者の家族）や、台所の視聴者（例えば子供の母親）は、夫々子供部屋TV１、寝室TV３、居間TV５、及び台所TV７により、通常の（ディジタルTV）放送番組の視聴が可能になる。
【００２２】
子供部屋TV１、寝室TV３、居間TV５、及び台所TV７は、例えばTCP/IP等を用い夫々が家庭内LAN１３を通じて相互に通信を行う。上記各TV（１、３、５、及び７）において、例えば寝室TV３が、UPnP（Universal Plug and Play  即ち、家庭内のパソコン、その周辺機器、AV機器、電話機、及び家電製品などの各種機器をネットワークを通じて接続し、相互に機能を提供し合うための技術仕様）等を用いて他のTV機器のうちから予め家庭内LAN１３に接続しているものを捜す。そして、他のTV機器の中に予め家庭内LAN１３に接続しているものがあれば（例えば居間TV５）、寝室TV３は、該TV機器（例えば居間TV５）に空きチャンネルを割当てる。なお、空きチャンネルの定義については、後に詳述する。
【００２３】
上記各TV（１、３、５、及び７）において、例えば寝室TV３の視聴者（例えば父親）が、現に子供部屋TV１の視聴者（即ち、子供）の視聴しているコンテンツ（放送番組）について知りたい場合には、寝室TV３が子供部屋TV１に対し予め割当てたチャンネルを指定する。これにより、子供部屋TV１で視聴しているコンテンツが、上記割当てたチャンネルを通じて寝室TV３に表示される。つまり、離れた部屋に設置されているディジタルTV放送受信機（映像表示装置）で視聴されているコンテンツを、手元のディジタルTV放送受信機（映像表示装置）でも視聴（以下、本明細書では「共視聴」と表記することがある）することが可能である。上述した予め割当てたチャンネルの指定についても、後に詳述する。
【００２４】
なお、例えば寝室TV３において、制限設定を行うことにより、寝室TV３でどんな放送番組を視聴しているのか他のTV（例えば子供部屋TV１）から把握（共視聴）できないようにすることも可能である。上記制限設定についても後に詳述する。
【００２５】
図２は、図１に記載の各映像表示装置の内部構成を示すブロック図である。図１に記載の各映像表示装置（１、３、５、７）は、内部構成が実質的に略同一であるものとする。
【００２６】
図２に示すように、図１に記載した各映像表示装置（１、３、５、７）は、ネットワーク通信部２１と、視聴チャンネル情報処理部２３と、チャンネル割当表管理部２５と、空きチャンネル検索部２７と、チャンネル切替部２９と、映像受信部３１と、映像表示部３３と、を備える。
【００２７】
ネットワーク通信部２１は、図１で説明したように、例えばTCP/IP（Transport Control Protocol/Internet Protocol）等を用い家庭内LAN１３を通じて他の映像表示装置のネットワーク通信部（２１）との間で相互に通信を行う。これにより、ネットワーク通信部２１は、他の映像表示装置からの該映像表示装置に対する視聴チャンネル情報（どのチャンネルの放送番組を視聴中かを示す）の送信要求を受信する。そして、該送信要求を視聴チャンネル情報処理部２３に出力する。上記送信要求に応じて視聴チャンネル情報処理部２３から該映像表示装置における視聴チャンネル情報が出力されると、ネットワーク通信部２１は、該視聴チャンネル情報を、家庭内LAN１３を通じて通信相手である（視聴チャンネル情報の送信要求を発した）他の映像表示装置に送信する。
【００２８】
ネットワーク通信部２１は、また、家庭内LAN１３を通じて他の映像表示装置に対し、視聴チャンネル情報の送信要求を行うと共に、該送信要求に応じて他の映像表示装置から送信された視聴チャンネル情報を、視聴チャンネル情報処理部２３に出力する。
【００２９】
映像受信部３１は、チャンネル切替部２９からチャンネル切替を行った旨の通知があると、該通知を受ける。映像受信部３１は、図１で示したアンテナ１１、及びアンテナ線９を通じて切替後のチャンネルに対応するディジタルTV放送局（図示しない）側から配信されたディジタルTV放送番組（映像コンテンツ）を受信する。そして、該受信した映像コンテンツを、映像表示部３３に出力する。これと共に、映像受信部３１は、上記ディジタルTV放送番組のチャンネル情報を、空きチャンネル検索部２７に通知する。映像表示部３３は、映像受信部３１から出力された映像コンテンツ（番組コンテンツ）を、（映像表示装置の）画面に表示する。
【００３０】
チャンネル切替部２９は、ユーザ、即ち、視聴者のリモコン（図示しない）操作による該リモコン（図示しない）からのチャンネル切替要求、又は、空きチャンネル検索部２７からのチャンネル切替指示、又は、視聴チャンネル情報処理部２３からのチャンネル切替指示に従って、該映像表示装置のチャンネル切替を行う。チャンネル切替部２９は、チャンネル切替を行った旨を映像受信部３１に通知する。
【００３１】
空きチャンネル検索部２７は、映像受信部３１から、上記ディジタルTV放送番組のチャンネル情報に係わる通知を受けると共に、チャンネル切替部２９に対しチャンネル切替を指示し、全てのチャンネルを切替えることによって現在空いているチャンネルを検索する。空きチャンネル検索部２７は、該映像表示装置が受信したディジタルTV放送番組の受信レベルが一定値（所定の受信レベル基準値）以下であり、且つ、チャンネル割当表管理部２５の管理下に置かれるチャンネル割当表（図３に示す）にも該チャンネルが記載されていない場合に、該チャンネルを空きチャンネルと判定する。
【００３２】
空きチャンネル検索部２７は、空きチャンネルに係わる検索結果を、チャンネル割当表管理部２５に通知すると共に、空きチャンネルに係わる検索結果を、例えば後述する図  にて示すような一覧形式で表示する。なお、図３で示す一覧形式については、後述する。
【００３３】
チャンネル割当表管理部２５は、空きチャンネル検索部２７からの空きチャンネルに係わる検索結果の通知を受けると共に、例えば図３に示すような形式のチャンネル割当表を作成・管理する。チャンネル割当表管理部２５は、ユーザ、即ち、視聴者が、例えばリモコン（図示しない）の操作により、該映像表示装置に対し割当てたい空きチャンネルを指定すると、該割当てたい空きチャンネル、該映像表示装置のアドレス、及び該映像表示装置名を、管理下に置いているチャンネル割当表に登録する。チャンネル割当表管理部２５は、視聴チャンネル情報処理部２３からのチャンネル割当表に対する照会に応じて自身の管理下にあるチャンネル割当表のデータを、視聴チャンネル情報処理部２３に出力する。なお、本実施形態では、チャンネル割当表は、各映像表示装置に設定されている。
【００３４】
視聴チャンネル情報処理部２３は、チャンネル割当表管理部２５の管理下に置かれているチャンネル割当表を適宜参照しつつ、ネットワーク通信部２１との間で視聴チャンネル情報の授受を行うことにより、チャンネル切替部２９にチャンネル切替指示を出す。即ち、視聴チャンネル情報処理部２３は、ネットワーク通信部２１を通じて、他の映像表示装置から視聴チャンネル情報を要求された場合に、該映像表示装置に係わる視聴チャンネル情報を、該他の映像表示装置に送信する処理を行う。
【００３５】
視聴チャンネル情報処理部２３は、また、該映像表示装置に対し空きチャンネルを割当てる処理、該映像表示装置においてチャンネル切替部２９を通じてチャンネルの切替を行うに際しての処理、を夫々実行する。視聴チャンネル情報処理部２３は、上記に加えて、該映像表示装置が他の映像表示装置に対し共視聴において親の立場にある場合に、共視聴において子の立場にある該他の映像表示装置に視聴制限を設定するに際しての処理も実行する。
【００３６】
視聴チャンネル情報処理部２３は、また、上記に加えて、該映像表示装置が他の映像表示装置に対し共視聴において子の立場にある場合に、共視聴において親の立場にある他の映像表示装置から視聴チャンネル情報の送信要求があった場合の処理も実行する。
【００３７】
視聴チャンネル情報処理部２３は、更に、上記に加えて、該映像表示装置と互いに共視聴の関係にある他の映像表示装置から、共視聴関係の解除要求が送信された場合の処理も実行する。これらの処理の詳細については、後に詳述する。
【００３８】
図３は、特定の映像表示装置のチャンネル割当表管理部２５（図２に記載）の管理下に置かれているチャンネル割当表の一例を示す説明図である。以下の説明では、図１で示した寝室TV３のチャンネル割当表管理部２５の管理下に置かれているチャンネル割当表を例にとる。
【００３９】
図３に示すチャンネル割当表は、各映像表示装置（即ち、子供部屋TV１、居間TV５、及び台所TV７）と、各映像表示装置に夫々割当てられたチャンネルとが対応付けられているものである。チャンネル割当表は、割当チャンネル欄４１と、映像表示装置名欄４３と、映像表示装置アドレス欄４５と、制限欄４７と、共視聴欄４９と、を備える。
【００４０】
割当チャンネル欄４１は、空きチャンネルに基づいて、各映像表示装置（子供部屋TV１、居間TV５、及び台所TV７）に割当てたチャンネルを示す欄である。映像表示装置名欄４３には、各映像表示装置の名称（子供部屋TV、居間TV、及び台所TV）を示すデータが登録されている。映像表示装置アドレス欄４５には、各映像表示装置のネットワーク（家庭内LAN１３）上のアドレスを示すデータとして、IPアドレス（例えば、居間TV５にはIPアドレスA、台所TV７にはIPアドレスB、子供部屋TV１にはIPアドレスC）が夫々登録されている。
【００４１】
制限欄４７には、各映像表示装置（子供部屋TV１、居間TV５、及び台所TV７）に対して共視聴を制限するかどうかを示すデータ（制限する場合は「有」、制限しない場合は「無」）が登録されている。制限欄４７に、「有」が登録されている映像表示装置に対しては、共視聴を行わせない。換言すれば、共視聴において子の立場にある各映像表示装置（子供部屋TV１、居間TV５、及び台所TV７）から、共視聴において親の立場にある特定の映像表示装置（即ち、ここでは寝室TV３）が視聴している放送番組を視聴させないようにする。
【００４２】
図３に示した例では、共視聴において子の立場にある各映像表示装置（子供部屋TV１、居間TV５、及び台所TV７）のうち子供部屋TV１に対しては、共視聴において親の立場にある特定の映像表示装置（即ち、ここでは寝室TV３）から制限が課されているが、他の映像表示装置に対しては、制限が課されてはいない。従って、図３に示した例では、居間TV５、及び台所TV７については、共視聴において親である特定の映像表示装置（ここでは寝室TV３）が現在視聴中の放送番組を、共視聴することが可能である。
【００４３】
更に、共視聴欄４９には、特定の映像表示装置（即ち、ここでは寝室TV３）が視聴している放送番組が、他の映像表示装置（子供部屋TV１、居間TV５、及び台所TV７）によって共視聴されているかどうかを示すデータ（共視聴されている場合には「共」、そうでなければ、「−」）が登録されている。共視聴欄４９に、「共」が登録されている映像表示装置（ここでは、居間TV５のみ）については、特定の映像表示装置（ここでは、寝室TV３）が現在視聴している放送番組を共視聴していることを示している。換言すれば、共視聴欄４９を参照することにより、共視聴において親の立場にある特定の映像表示装置（ここでは寝室TV３）は、共視聴において子の立場にある映像表示装置（ここでは居間TV５）が、特定の映像表示装置が現在視聴中の放送番組を共視聴していることを把握することが可能になる。
【００４４】
図４は、特定の映像表示装置の視聴チャンネル情報処理部２３（図２に記載）が、他の映像表示装置に対し空きチャンネルを割当てる処理を行うに際しての、該特定の映像表示装置の表示部に表示される画面の一例を示す説明図である。以下の説明では、図１で示した寝室TV３の視聴チャンネル情報処理部２３が、他の映像表示装置、即ち、子供部屋TV１、居間TV５、及び台所TV７に対し、夫々空きチャンネルを割当てる場合に寝室TV３の表示部に表示される画面を例にとる。
【００４５】
図４において、画面６１における破線で示す矩形状の領域６３には、図１で示した居間TV５、子供部屋TV１、及び台所TV７が、夫々アイコン６５、６７、６９で表示されている。既述の内容から明らかなように、これらの映像表示装置は、家庭内LAN１３を通じて寝室TV３（図１で示した）に接続されている。領域６３内に示される各アイコン（６５、６７、６９）は、これら各アイコン（６５、６７、６９）によって示される映像表示装置（即ち、居間TV５、子供部屋TV１、及び台所TV７）が、家庭内LAN１３に接続されることにより、UPnPなどの機能によって自動的に表示される。
【００４６】
アイコン６５を囲む４個一組の太線で示した鉤の手７１は、各アイコン（６５、６７、６９）によって示される居間TV５、子供部屋TV１、及び台所TV７の何れかを選択するためのカーソルである。実線で示す矩形状の領域７３は、ユーザ、即ち、寝室TV３の視聴者が、カーソル７１によって上記何れかの映像表示装置を選択し、次にリモコン（図示しない）等に搭載されている機能ボタンを押圧操作したときに表示されるメニューである。メニュー７３には、例えば「空きチャンネルに登録」、「削除」、「制限設定」、「プロパティ」等の各種項目が表示される。
【００４７】
「空きチャンネルに登録」項目は、カーソル７１によって選択した映像表示装置（例えば、居間TV５）に、空きチャンネルを登録するに際して用いられる。「削除」項目は、カーソル７１によって選択した映像表示装置（例えば、居間TV５）に対して、（空き）チャンネルの割当てを止めるに際して用いられる。「制限設定」項目は、カーソル７１によって選択した映像表示装置（例えば、居間TV５）に対して、該映像表示装置との共視聴の制限設定を行うに際して用いられる。「プロパティ」項目は、カーソル７１によって選択した映像表示装置（例えば、居間TV５）に対して、その映像表示装置に係わる諸項目を表示するに際して用いられる。
【００４８】
実線で示す矩形状の領域７５は、ユーザ、即ち、寝室TV３の視聴者が、メニュー７３の各種項目中から「空きチャンネルに登録」を選択したときに表示される、現在の空きチャンネルの一覧に係わるサブメニューである。本実施形態では、５ch、７ch、９ch、・・・が、現在の空きチャンネルとして表示されている。
【００４９】
なお、本実施形態では、各映像表示装置（居間TV５、子供部屋TV１、及び台所TV７）をアイコン（６５、６７、６９）によって領域６３内に示すこととしたが、アイコン（６５、６７、６９）に代えて各映像表示装置を表す文字列で示すようにしても良い。
【００５０】
図５は、特定の映像表示装置の視聴チャンネル情報処理部２３（図２に記載）が、他の映像表示装置に対し空きチャンネルを割当てるに際しての処理手順を示すフローチャートである。
【００５１】
図５において、まず、ユーザ（即ち、寝室TV３の視聴者）が、リモコン（図示しない）等を通じて特定の映像表示装置である寝室TV３に、他の映像表示装置（居間TV５、子供部屋TV１、及び台所TV７）に対する空きチャンネル割当の指令を発する。この指令を受信すると、特定の映像表示装置（寝室TV３）側では、視聴チャンネル情報処理部２３の管理下で、図４で示したように、表示部６１の領域６３に、家庭内LAN１３に接続されている映像表示装置をアイコン（６５、６７、６９）で表示する（ステップS８１）。
【００５２】
次に、ユーザ（即ち、寝室TV３の視聴者）が、リモコン（図示しない）等を通じて領域６３内に表示されている各アイコン（６５、６７、６９）の中から空きチャンネルの割当を行いたい映像表示装置のアイコンを、カーソル７１によって選択する。そして、ユーザ（即ち、寝室TV３の視聴者）が、リモコン（図示しない）の機能ボタンを押圧操作することにより、表示部６１にメニュー７３を表示させ、該メニュー７３中から「空きチャンネルに登録」の項目を選択する。次に、この状態で、（図２に記載の）空きチャンネル検索部２７を通じてチャンネル切替部２９にチャンネル切替を指示し、全てのチャンネルを切替えることによって空きチャンネルを検索する（ステップS８２）。空きチャンネルかどうかの判定内容については、既に説明したので、ここでは説明を省略する。
【００５３】
次に、空きチャンネルに係わる検索結果を、図４のサブメニュー７５で示した態様で、表示部６１に表示する（ステップS８３）。次に、ユーザ（即ち、寝室TV３の視聴者）が、リモコン（図示しない）等を通じて各映像表示装置（居間TV５、子供部屋TV１、及び台所TV７）に対し、割当てたい空きチャンネルを指定する。この指定により、特定の映像表示装置（寝室TV３）側では、視聴チャンネル情報処理部２３の管理下で、それらの空きチャンネル、各映像表示装置のアドレス、及び各映像表示装置名が、チャンネル割当表管理部２５を通じて（図３で示した）チャンネル割当表に登録される（ステップS８４）。
【００５４】
なお、上記登録時には、（図３で示した）チャンネル割当表の制限欄４７には「無」が、共視聴欄４９には「−」が、夫々登録されることになる。
【００５５】
図６は、特定の映像表示装置において、チャンネル切替を行うに際しての視聴チャンネル情報処理部（図２に記載）が実行する処理手順を示すフローチャートである。
【００５６】
図６において、まず、ユーザ（即ち、寝室TV３の視聴者）が、リモコン（図示しない）等を通じて特定の映像表示装置である寝室TV３のチャンネル切替を行おうとする。これにより、視聴チャンネル情報処理部２３は、現在設定されているチャンネル（現在のチャンネル）と、これから切替えようとするチャンネル（切替後のチャンネル）とが同一かどうかチェックする（ステップS９１）。
【００５７】
このチェックの結果、現在のチャンネルと切替後のチャンネルとが同一でなければ（ステップS９１でNo）、視聴チャンネル情報処理部２３は、チャンネル割当表管理部２５を通じて、現在のチャンネルが（図３で示した）チャンネル割当表に登録されているかどうかチェックする。このチェックは、特定の映像表示装置（寝室TV３）において、現在視聴中のチャンネルが、他の映像表示装置（居間TV５、子供部屋TV１、及び台所TV７）が視聴中の（番組）コンテンツかどうかをチェックすることに相当する。即ち、現在のチャンネルが（図３で示した）チャンネル割当表に登録されていれば、特定の映像表示装置が、他の映像表示装置（居間TV５、子供部屋TV１、及び台所TV７）と（番組）コンテンツを共視聴していることになる（ステップS９２）。
【００５８】
上記チェックの結果、現在のチャンネルがチャンネル割当表に登録されていれば（ステップS９２でYes）、視聴チャンネル情報処理部２３は、特定の映像表示装置が現在視聴中のチャンネルと同一チャンネルが割当てられている他の映像表示装置（即ち、居間TV５、子供部屋TV１、及び台所TV７の何れか）に対し、共視聴を解除する旨の要求を送信する（ステップS９３）。次に、チャンネル割当表に、切替後のチャンネル（ユーザである寝室TV３の視聴者が指定したチャンネル）が登録されているかどうかチェックする。即ち、ユーザである寝室TV３の指定したチャンネルが、他の映像表示装置（居間TV５、子供部屋TV１、及び台所TV７）に割当てられているチャンネルかどうかチェックする（ステップS９４）。
【００５９】
上記チェックの結果、上記指定したチャンネルが他の映像表示装置に割当てられているチャンネルであれば（ステップS９４でYes）、チャンネル割当表における上記指定したチャンネルの共視聴欄（４９）に「共」が登録されているかどうかチェックする（ステップS９５）。上記チェックの結果、チャンネル割当表における上記指定したチャンネルの共視聴欄（４９）に「共」が登録されていなければ（ステップS９５でNo）、視聴チャンネル情報処理部２３は、チャンネル割当表管理部２５を通じてチャンネル割当表から上記指定されたチャンネルが割当てられている映像表示装置のアドレスを取得する。そして、アドレスを取得した映像表示装置に対し、視聴チャンネル情報処理部２３は、ネットワーク通信部２１を通じて視聴チャンネル情報（現在どのチャンネルの放送番組を視聴しているかを示す情報）の送信を要求する（ステップS９６）。
【００６０】
この要求に応じて、上記映像表示装置から送信された視聴チャンネル情報を、ネットワーク通信部２１を通じて受信すると（ステップS９７）、視聴チャンネル情報処理部２３は、上記視聴チャンネル情報に含まれる視聴チャンネルの番組コンテンツを、（映像表示部３３に）表示する（ステップS９８）。例えば、上記視聴チャンネル情報に含まれる視聴チャンネルが、８chであったとすると、特定の映像表示装置（即ち、寝室TV３）のチャンネルは、チャンネル切替部２９によってユーザ（即ち、寝室TV３の視聴者）が指定したチャンネルに切替えられているが、特定の映像表示装置の画面（表示部６１）には、８chの映像が表示される。
【００６１】
次に、視聴チャンネル情報処理部２３は、チャンネル割当表管理部２５を通じてチャンネル割当表を参照する。そして、特定の映像表示装置（即ち、寝室TV３）と共視聴の関係にある他の映像表示装置に対し、ネットワーク通信部２１を通じて、ユーザ（即ち、寝室TV３の視聴者）からの指示によって切替えたチャンネルに係わる情報を送信する（ステップS９９）。つまり、（図３で示した）チャンネル割当表の共視聴欄４９に「共」が登録されている映像表示装置（図３で示した例では、居間TV５のみ）のアドレス（図３で示した例では、IPアドレスA）に対し、切替後のチャンネル情報を送信することになる。
【００６２】
これにより、共視聴において親の立場にある特定の映像表示装置（ここでは寝室TV３）でチャンネル切替えを行っても、共視聴において子の立場にある映像表示装置（ここでは居間TV５）に上記切替えを行った後のチャンネルが表示される。即ち、切替後のチャンネル情報を受信した映像表示装置（共視聴において子の立場にある映像表示装置）において切替後のチャンネル情報に含まれるチャンネルが表示されることで、共視聴において親の立場にある特定の映像表示装置でのチャンネル切替に対応している。
【００６３】
次に、ステップS９９で示した処理が、特定の映像表示装置と共視聴関係にある全ての映像表示装置について行われたかどうかチェックする（ステップS１００）。上記チェックの結果、共視聴関係にある全ての映像表示装置についてステップS９９で示した処理が行われていれば（ステップS１００でYes）、図６で示した一連の処理動作が終了する。
【００６４】
ステップS９１でのチェックの結果、特定の映像表示装置（即ち、寝室TV３）における現在のチャンネルと、切替後のチャンネルとが同一であれば（ステップS９１でYes）、ステップS９２以下の処理動作は実行せず、図６で示した一連の処理動作が直ちに終了する。次に、現在のチャンネルが（図３で示した）チャンネル割当表に登録されていなければ（ステップS９２でNo）、既述のステップS９４で示した処理に移行する。
【００６５】
ユーザである寝室TV３の視聴者が指定したチャンネル（切替後のチャンネル）が、チャンネル割当表に登録されていなければ（ステップS９４でNo）、その指定されたチャンネルが通常のチャンネル（他の映像表示装置との間で共視聴の関係にないチャンネル）であるので、その指定されたチャンネルを表示部６１に表示する（ステップS１０１）。そして、既述のステップS９９で示した処理に移行する。
【００６６】
チャンネル割当表の上記指定されたチャンネルの共視聴欄（４９）に「共」が登録されている場合（ステップS９５でYes）、視聴チャンネル情報処理部２３は、特定の映像表示装置（ここでは寝室TV３）の表示部６１に、所定のエラー表示を行い（ステップS１０２）、一連の処理動作を終了させる。その理由は、上記指定されたチャンネルが割当てられている（共視聴関係にある）他の映像表示装置（ここでは居間TV５）が、特定の映像表示装置（ここでは寝室TV３）の視聴している放送番組を視聴していれば、所謂無限ループに陥ってしまうからである。そのため、特定の映像表示装置において、視聴チャンネル情報処理部２３が、「居間TV５は現在こちらの視聴番組を視聴していますので指定チャンネルは表示できません」等のエラー表示を行って、一連の処理動作を終了させることにした。
【００６７】
図７は、特定の映像表示装置において、視聴制限を設定するに際しての視聴チャンネル情報処理部（図２に記載）が実行する処理手順を示すフローチャートである。
【００６８】
図７において、まず、親などの視聴制限を設定する権限があるユーザ、例えば共視聴において親の立場にある特定の映像表示装置（ここでは寝室TV３）の視聴者が、リモコン（図示しない）等を通じて図４で示したメニュー７３から制限設定項目を選択すると、これにより、特定の映像表示装置の表示部６１に、パスワード入力画面が表示される。次に、そのパスワード入力画面を用いて、ユーザ（即ち、寝室TV３の視聴者）が、リモコン（図示しない）等を通じ、所定のパスワードを入力すると（ステップS１１１）、視聴チャンネル情報処理部２３が、入力されたパスワードが予め登録されているパスワードと合致しているかどうかチェックする（ステップS１１２）。
【００６９】
上記チェックの結果、入力されたパスワードが予め登録されているパスワードと合致していれば（ステップS１１２でYes）、視聴チャンネル情報処理部２３は、該ユーザが視聴制限を設定する権限を持つユーザであると判別する。そして、チャンネル割当表管理部２５を通じてチャンネル割当表における該映像表示装置の制限欄４７に「有」を登録して（ステップS１１３）、図７で示した一連の処理動作を終了する。これにより、特定の映像表示装置（即ち、寝室TV３）からは共視聴を行わない設定になる。
【００７０】
一方、上記チェックの結果、入力されたパスワードが予め登録されているパスワードと合致していなければ（ステップS１１２でNo）、視聴チャンネル情報処理部２３は、パスワードが相違する旨のエラーを、表示部６１に表示して（ステップS１１４）、一連の処理動作を終了する。
【００７１】
なお、上述したパスワードは、予め親などの視聴制限を設定する権限を持つユーザによって特定の映像表示装置（ここでは寝室TV３）に登録されているものとする。
【００７２】
図８は、共視聴において子の立場にある映像表示装置が、共視聴において親の立場にある特定の映像表示装置から視聴チャンネル情報の送信要求を受信したときの、視聴チャンネル情報処理部（図２に記載）が実行する処理手順を示すフローチャートである。
【００７３】
図８において、まず、共視聴において子の立場にある映像表示装置（ここでは居間TV５）が、親の立場にある特定の映像表示装置（ここでは寝室TV３）から送信された視聴チャンネル情報の要求を受信する。これにより、（居間TV５の）視聴チャンネル情報処理部２３は、チャンネル割当表管理部２５を通じてチャンネル割当表における送信元アドレスの映像表示装置（ここでは寝室TV３）の制限欄４７に「有」のチェックがあるかどうかチェックする（ステップS１２１）。上記チェックの結果、送信元アドレスの映像表示装置（ここでは寝室TV３）の制限欄４７に「有」のチェックがなければ（ステップS１２１でNo）、送信元アドレスの映像表示装置の共視聴欄４９に「共」を登録する（ステップS１２２）。次に、送信元アドレスの映像表示装置（ここでは寝室TV３）に対し、現在の視聴チャンネル情報を送信し（ステップS１２３）、図８で示した一連の処理動作を終了する。
【００７４】
一方、上記チェックの結果、送信元アドレスの映像表示装置（ここでは寝室TV３）の制限欄４７に「有」のチェックがあれば（ステップS１２１でYes）、制限がある旨のエラーを送信元アドレスの映像表示装置（ここでは寝室TV３）に送信し（ステップS１２４）、一連の処理動作を終了する。
【００７５】
図９は、特定の映像表示装置から共視聴の制限を受けている他の映像表示装置の表示部に表示される画面の一例を示す説明図である。
【００７６】
図９において、矩形状の領域１３１には、該映像表示装置（ここでは居間TV５）に割当てられたチャンネル、及び該チャンネルを該映像表示装置に割当てた特定の映像表示装置（ここでは寝室TV３）名が表示される。一方、画面の略中央の領域１３３には、該映像表示装置が上記特定の映像表示装置によって視聴制限「視聴できません」が掛かっている旨のメッセージが表示される。図９で示した画面は、図８で示したステップS１２４において該映像表示装置が、上記特定の映像表示装置から送信された制限エラーを受信した場合に表示される画面である。
【００７７】
図１０は、特定の映像表示装置から共視聴を解除する旨の要求を受信したときの、他の映像表示装置における視聴チャンネル情報処理部（図２に記載）が実行する処理手順を示すフローチャートである。
【００７８】
図１０において、特定の映像表示装置（ここでは寝室TV３）から共視聴解除の要求を受信すると、他の映像表示装置（ここでは居間TV５）の視聴チャンネル情報処理部２３は、チャンネル割当表管理部２５を通じてチャンネル割当表における送信元アドレスの映像表示装置（ここでは寝室TV３）の共視聴欄４９の「共」の登録を削除する（ステップS１４１）。これにより、図１０に示した処理を終了する。
【００７９】
上述した実施形態では、図３で示した映像表示装置アドレスにIPアドレスを用いているが、ネットワーク（家庭内LAN１３）内で一意のアドレスになるのであれば、他のプロトコルのアドレスを用いても良い。これにより、IPプロトコルを利用しない通信プロトコルを用いても、本実施形態を実現することができる。また、本実施形態では、図３で示したチャンネル割当表には、制限欄（４７）と共視聴欄（４９）とがあるが、映像表示装置アドレス欄（４５）、制限欄（４７）、及び共視聴欄（４９）をチャンネル割当表から分離して、これらを視聴共有管理表として管理することとしても良い。これにより、共視聴において子の立場にはならないが、親の立場にはなる映像表示装置にも対応することができる。
【００８０】
本実施形態により、離れた部屋の映像表示装置で視聴しているコンテンツを手元にある映像表示装置で共視聴することができ、例えば親が別の部屋で子供が視聴している番組コンテンツを把握することが可能である。なお、例えば共視聴において子の立場にある映像表示装置側で制限設定を行うことで、該映像表示装置から共視聴において親の立場にある他の映像表示装置で何を視聴しているのかを分からなくすることができる。これにより、例えば子供が親の見ている番組コンテンツを覗き見するといったようなことを防止することができる。
【００８１】
また、例えば居間１０７にあるような大画面の映像表示装置と、他の部屋にある通常画面の映像表示装置とで同一の番組コンテンツを視聴している場合に、他の部屋にいる視聴者が該大画面の映像表示装置がある居間１０７に移動してより大画面で上記番組コンテンツを視聴することもできる。また、逆に居間１０７での視聴者が、他の部屋の映像表示装置で視聴されている番組コンテンツを確認した結果、他の部屋の映像表示装置と同一の番組コンテンツを視聴していることが判明した場合、他の部屋の視聴者を居間１０７に呼び寄せることで、コミュニケーションを図ることができる。
【００８２】
更に、特定の映像表示装置から、他の映像表示装置に対し空きチャンネルを割当てるので、ユーザが直感的に把握することができるため、分かり易く、操作が簡単である。
【００８３】
次に、本発明の他の実施形態について説明する。本発明の他の実施形態（以下、「本実施形態」と表記する）では、上述した（図１で示した）本発明の一実施形態の構成に加えて、家庭内LAN１３にコンテンツ蓄積・配信サーバが接続される。このコンテンツ蓄積・配信サーバは、コンテンツの配信可能数が無制限となっている。本実施形態における処理手順は、基本的に本発明の一実施形態におけると同様である。以下では、処理手順における相違点について説明する。
【００８４】
今、共視聴において親の立場にある特定の映像表示装置（例えば寝室TV３）が、家庭内LAN１３を通じてコンテンツ蓄積・配信サーバが蓄積している番組コンテンツを視聴しているものとする。この状態において、共視聴において子の立場にある他の映像表示装置（例えば子供部屋TV１）から視聴チャンネル情報の送信要求を受信すると（図６のステップS９６で示した処理）、図８に示したものと同様の処理を行う。
【００８５】
しかし、特定の映像表示装置では、図８のステップS１２３におけると同様の処理動作を行うに際しては、コンテンツ蓄積・配信サーバに蓄積されているコンテンツ情報（コンテンツ名、コンテンツIDなど）と、該蓄積されているコンテンツ情報中の現在視聴している箇所に係わる情報とを、視聴チャンネル情報として上記他の映像表示装置に送信することになる。一方、上記他の映像表示装置では、上記特定の映像表示装置から上記視聴チャンネル情報を受信すると（図６のステップS９７での処理動作に対応）、図６のステップS９８での処理動作ではなく、上記視聴チャンネル情報に含まれるコンテンツ情報に基づき、コンテンツ蓄積・配信サーバに対し該コンテンツの配信を要求する処理を行う。そして、更に上記他の映像表示装置は、上記特定の映像表示装置が現在視聴中の箇所から該コンテンツを表示部６１に表示する。
【００８６】
本実施形態によれば、各映像表示装置（子供部屋TV１、寝室TV３、居間TV５、及び台所TV７）は、家庭内LAN１３上にあるコンテンツ蓄積・配信サーバが蓄積しているコンテンツに対しても、共視聴を行うことができる。
【００８７】
次に、本発明の更に他の実施形態について説明する。本発明の更に他の実施形態（以下、「本実施形態」と表記する）は、上述した２つの実施形態とは異なり、同一のコンテンツを複数台の映像表示装置で共視聴できない場合に係わる。
【００８８】
例えば、複数台の映像表示装置において、或る映像表示装置にはCSチューナが内蔵されているが、他の映像表示装置には内蔵されていない場合、或る映像表示装置にのみ接続されたレコーダのコンテンツを見ている場合、コンテンツ蓄積・配信サーバのコンテンツの配信可能数に制限がある場合などが想定され得る。
【００８９】
本実施形態における処理手順は、基本的に本発明の一実施形態、及び本発明の他の実施形態におけると同様である。以下では、処理手順における相違点について説明する。
【００９０】
今、共視聴において親の立場にある特定の映像表示装置（例えば寝室TV３）が、他の映像表示装置（例えば子供部屋TV１、居間TV５、及び台所TV７）が視聴することができない、コンテンツ蓄積・配信サーバが蓄積している番組コンテンツを、家庭内LAN１３を通じて視聴しているものとする。この状態において、共視聴において子の立場にある他の映像表示装置（例えば子供部屋TV１）から視聴チャンネル情報の送信要求を受信すると（図６のステップS９６で示した処理）、図８に示したものと同様の処理を行う。
【００９１】
しかし、特定の映像表示装置では、図８のステップS１２３におけると同様の処理動作を行うに際しては、コンテンツ蓄積・配信サーバに蓄積されているコンテンツ情報（コンテンツ名、コンテンツID、コンテンツのジャンル、及びコンテンツがある場所など）と、該蓄積されているコンテンツ情報中の現在視聴している箇所に係わる情報とを、視聴チャンネル情報として上記他の映像表示装置に送信することになる。一方、上記他の映像表示装置では、上記特定の映像表示装置から上記視聴チャンネル情報を受信する（図６のステップS９７での処理動作に対応）。しかし、該視聴チャンネル情報に係わるコンテンツを該映像表示装置自身では視聴できないと判断すると、図６のステップS９８での処理動作ではなく、該視聴チャンネル情報に含まれるコンテンツ情報を表示部６１に表示する。なお、図１１は、上記他の映像表示装置の表示部に表示される上記コンテンツ情報に係わる画面の一例を示している。
【００９２】
以上説明した内容から明らかなように、本実施形態は、同一のコンテンツを複数台の映像表示装置で共視聴できない場合に対応しているものである。
【００９３】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００９４】
【図１】本発明の一実施形態に係る映像表示装置を複数台設置した家屋を示すブロック図。
【図２】図１に記載した各映像表示装置の内部構成を示すブロック図。
【図３】特定の映像表示装置のチャンネル割当表管理部（図２に記載）の管理下に置かれているチャンネル割当表の一例を示す説明図。
【図４】特定の映像表示装置の視聴チャンネル情報処理部（図２に記載）が、他の映像表示装置に対し空きチャンネルを割当てる処理を行うに際しての、該特定の映像表示装置の表示部に表示される画面の一例を示す説明図。
【図５】特定の映像表示装置の視聴チャンネル情報処理部（図２に記載）が、他の映像表示装置に対し空きチャンネルを割当てるに際しての処理手順を示すフローチャート。
【図６】特定の映像表示装置において、チャンネル切替を行うに際しての視聴チャンネル情報処理部（図２に記載）が実行する処理手順を示すフローチャート。
【図７】特定の映像表示装置において、視聴制限を設定するに際しての視聴チャンネル情報処理部（図２に記載）が実行する処理手順を示すフローチャート。
【図８】共視聴において子の立場にある映像表示装置が、共視聴において親の立場にある特定の映像表示装置から視聴チャンネル情報の送信要求を受信したときの、視聴チャンネル情報処理部（図２に記載）が実行する処理手順を示すフローチャート。
【図９】特定の映像表示装置から共視聴の制限を受けている他の映像表示装置の表示部に表示される画面の一例を示す説明図。
【図１０】特定の映像表示装置から共視聴を解除する旨の要求を受信したときの、他の映像表示装置における視聴チャンネル情報処理部（図２に記載）が実行する処理手順を示すフローチャート。
【図１１】本発明の更に他の実施形態において、他の映像表示装置の表示部に表示される上記コンテンツ情報に係わる画面の一例を示す図。
【符号の説明】
【００９５】
１、３、５、７  映像表示装置
９  アンテナ線
１１  アンテナ
１３  LAN（ローカル・エリア・ネットワーク）
２１  ネットワーク通信部
２３  視聴チャンネル情報処理部
２５  チャンネル割当表管理部
２７  空きチャンネル検索部
２９  チャンネル切替部
３１  映像受信部
３３  映像表示部
１０１  家屋
１０３  子供部屋
１０５  寝室
１０７  居間
１０９  台所
【図１】
2007074036.tif 000003
【図２】
2007074036.tif 000004
【図３】
2007074036.tif 000005
【図４】
2007074036.tif 000006
【図５】
2007074036.tif 000007
【図６】
2007074036.tif 000008
【図７】
2007074036.tif 000009
【図８】
2007074036.tif 000010
【図９】
2007074036.tif 000011
【図１０】
2007074036.tif 000012
【図１１】
2007074036.tif 000013